(57)【特許請求の範囲】
【請求項１】
複数の居室へエア供給するための送風路と、前記複数の居室からの戻りエアを取込む戻り路との間に、
並列接続するように、蓄熱槽の一対の送風給排口の一方と、空調装置のエア吐出口とを前記送風路に接続するとともに、前記蓄熱槽の一対の送風給排口の他方と、前記空調装置のエア吸込み口とを前記戻り路に接続し、
前記空調装置には、単位時間の吐出風量を可変設定自在な出力ファンを備えさせ、
前記送風路に、その送風路内のエアを前記複数の居室夫々に個別に強制移送する複数の送風ファンを、前記複数の居室夫々に対応させて設け、
前記エア吸込み口又はエア吐出口が閉塞され、かつ、前記送風路は開通される第１状態と、前記エア吸込み口とエア吐出口及び前記送風路がいずれも開通される第２状態と、前記エア吸込み口及びエア吐出口が開通され、かつ、前記送風路は閉塞される第３状態とのいずれかの状態を切換選択自在な経路切換手段を設け、
前記経路切換手段が前記第２状態に切換えられているときにおいて、前記複数の送風ファンの単位時間当たりの送風量の総和と、前記出力ファンの単位時間当たりの吐出風量との大小関係を制御自在な風量制御手段を設けてある蓄熱空調設備。
【請求項２】
前記風量制御手段は、前記複数の送風ファンの単位時間当たりの送風量の総和が、前記出力ファンの単位時間当たりの吐出風量よりも大となる放熱空調制御状態と、前記複数の送風ファンの単位時間当たりの送風量の総和が、前記出力ファンの単位時間当たりの吐出風量よりも小となる蓄熱空調制御状態と、前記複数の送風ファンの単位時間当たりの送風量の総和と、前記出力ファンの単位時間当たりの吐出風量とが一致する空調制御状態とが選択設定自在に構成されている請求項１に記載の蓄熱空調設備。
【発明の詳細な説明】
【０００１】
【発明の属する技術分野】
本発明は、空調装置と蓄熱槽とを主な構成要素とする蓄熱空調設備に関する。
【０００２】
【従来の技術】
従来の蓄熱空調設備としては、先に出願した特願２０００−２７５２号のものがある。これは、空調装置と蓄熱槽と空調対象（室内）とを連通接続する３種のダクトを設けるとともに、それらダクト毎に駆動開閉操作自在な開閉弁と制御装置等を設けたものであり、空調装置のＯＮ−ＯＦＦと３個の開閉弁の開閉作動の組み合わせにより、（イ）空調装置を作動させて蓄熱槽に蓄熱する蓄熱モード、（ロ）空調装置を作動させて空調対象を空調する空調モード、（ハ）空調装置を作動させて蓄熱槽に蓄熱し、かつ、空調対象を空調する蓄熱空調モードといった複数種の運転モードが行えるように構成されている。
【０００３】
【発明が解決しようとする課題】
前記従来技術による蓄熱空調設備では、（イ）〜（ハ）の各種運転モードを行えるようにするために、各ダクト毎に備えた計３箇所の駆動型開閉弁を用いているので、比較的可動部が多く、その制御も比較的複雑になるとともに、誤作動無く正常に弁の開閉作動を行わせるための点検・整備も比較的頻繁に行う必要がある等、メンテナンス・フリーと言う分けにはいかないものであった。
【０００４】
本発明の目的は、種々の運転モードが行える蓄熱空調設備としながら、開閉弁の数を減らせる等の構造のシンプル化が図れるようにして、誤作動おそれの少ない信頼性に優れたものとする点にある。
【０００５】
【課題を解決するための手段】
請求項１の構成は、図１に示すように、蓄熱空調設備において、複数の居室ｒへエア供給するための送風路３と、複数の居室ｒからの戻りエアを取込む戻り路１１との間に、並列接続するように、蓄熱槽１の一対の送風給排口１ａ，１ｂの一方１ａと、空調装置２のエア吐出口２ａとを送風路３に接続するとともに、蓄熱槽１の一対の送風給排口１ａ，１ｂの他方１ｂと、空調装置２のエア吸込み口２ｂとを戻り路１１に接続し、空調装置２には、単位時間の吐出風量を可変設定自在な出力ファン２ｃを備えさせ、送風路３に、その送風路３内のエアを複数の居室ｒ夫々に個別に強制移送する複数の送風ファン１２を、複数の居室ｒ夫々に対応させて設け、
エア吸込み口２ｂ又はエア吐出口２ａが閉塞され、かつ、送風路３は開通される第１状態と、エア吸込み口２ｂとエア吐出口２ａ及び送風路３がいずれも開通される第２状態と、エア吸込み口２ｂ及びエア吐出口２ａが開通され、かつ、送風路３は閉塞される第３状態とのいずれかの状態を切換選択自在な経路切換手段７を設け、
送風路３内のエアを空調対象Ｒに向けて強制移送する送風ファン１２を送風路３に設け、経路切換手段７が第２状態に切換えられているときにおいて、複数の送風ファン１２の単位時間当たりの送風量の総和と、出力ファン２ｃの単位時間当たりの吐出風量との大小関係を制御自在な風量制御手段８を設けてあることを特徴とする。
【０００６】
請求項１の構成によれば、詳しくは実施形態の項にて説明するが、経路切換手段を第１状態に切換操作し、かつ、送風ファンを作動させることにより、蓄熱槽に蓄えられた熱による空調風を空調対象に供給する放熱モードを行うことができる。このときのエアの流れは、戻り路→蓄熱槽→送風路（送風ファン）→空調対象→戻り路という開放蓄熱経路が形成される。次に、経路切換手段を第３状態に切換操作し、かつ、送風ファンを停止するとともに空調装置を空調作動させることにより、空調装置によって蓄熱槽に蓄熱させる蓄熱モードを行うことができる。このときのエアの流れは、空調装置→送風路→蓄熱槽→戻り路→空調装置という閉鎖循環経路になる。
【０００７】
そして、経路切換手段を第２状態に切換操作し、かつ、送風ファンを作動させるとともに空調装置を空調作動させることにより、即ち、風量制御手段によって、送風ファンの単位時間当たりの送風量と、空調装置の単位時間当たりの吐出風量との大小関係を制御することにより、次の３通りの運転モードが可能になる。
【０００８】
先ず、空調装置の単位時間当たりの吐出風量が、送風ファンの単位時間当たりの送風量よりも大としたときには、空調風が蓄熱槽と送風ファン、即ち空調対象との双方に供給される蓄熱空調モードが行える。このときのエアの流れは、戻り路→空調装置→送風路→蓄熱槽→戻り路という閉鎖循環経路と、戻り路→空調装置→送風路（送風ファン）→空調対象→戻り路という開放空調経路との双方が存在する。
【０００９】
次に、空調装置の単位時間当たりの吐出風量と送風ファンの単位時間当たりの送風量とを同じとしたときには、空調風が全て送風ファン、即ち空調対象に供給されて蓄熱槽には向かわない空調モードが行われる。このときのエアの流れは、戻り路→空調装置→送風路（送風ファン）→空調対象→戻り路という開放空調経路になる。そして、空調装置の単位時間当たりの吐出風量よりも送風ファンの単位時間当たりの送風量を大としたときには、蓄熱槽に蓄えられた熱、及び空調装置からの空調風が共に送風ファンによって空調対象に供給される放熱空調モードが行われる。このときのエアの流れは、前述の開放蓄熱経路と開放空調経路との双方が存在する。
【００１０】
請求項２の構成は、図１、図４、図５、図６に示すように、請求項１の構成において、風量制御手段８は、複数の送風ファン１２の単位時間当たりの送風量の総和が、出力ファン２ｃの単位時間当たりの吐出風量よりも大となる放熱空調制御状態と、複数の送風ファン１２の単位時間当たりの送風量が、出力ファン２ｃの単位時間当たりの吐出風量よりも小となる蓄熱空調制御状態と、複数の送風ファン１２の単位時間当たりの送風量の総和と、出力ファン２ｃの単位時間当たりの吐出風量とが一致する空調制御状態とが選択設定自在に構成されていることを特徴とするものである。
【００１１】
請求項２の構成によれば、エア吸込み口、エア吐出口、及び送風路がいずれも開通される第２状態において、空調装置の吐出風と送風ファンの風量との大小関係を積極的に制御することで、所望の運転モード状態を設定及び維持できるようにするものである。即ち、送風ファンの単位時間当たりの送風量が、空調装置の単位時間当たりの吐出風量よりも大となる放熱空調制御状態にすれば、空調装置による空調風と、蓄熱槽を通過したことによる放熱風との双方によって空調対象を空調する放熱空調モードを得ることができる。又、送風ファンの単位時間当たりの送風量が、空調装置の単位時間当たりの吐出風量よりも小となる蓄熱空調制御状態にすれば、空調装置による空調風を、空調対象と蓄熱槽との双方に供給する蓄熱空調モードを得ることができる。又、送風ファンの単位時間当たりの送風量と、空調装置の単位時間当たりの吐出風量とを一致させて、空調風の全てが丁度空調対象に供給される空調モードを得ることができる。つまり、蓄熱槽を持たない一般的な空調装置による空調作動状態をも現出させることが可能になる。
【００１４】
尚、上述のように、図面との対照を便利にするために符号を記したが、該記入により本発明は添付図面の構成に限定されるものではない。
【００１５】
【発明の実施の形態】
以下、本発明の実施の形態を図面に基づいて説明する。
図１、図２に個人住宅に適用された蓄熱空調設備Ａが示されている。この蓄熱空調設備Ａは、押入等の居住空間の一部に配置された蓄熱槽１、この蓄熱槽１の直上に配置された空調装置２、空調風を居室Ｒに送るための主ダクト（送風路の一例）３、主ダクト３から送られてくる空調風を分岐させて各居室ｒ１，ｒ２に送るべく天井裏に配備された主ダクト３の先端部分である個別ダクト４，５、これら個別ダクト４，５毎に装備された送風機構６、主に空調装置２の送風吐出側に設けられた経路切換手段７、及び風量制御手段８等を設けて構成されている。
【００１６】
この蓄熱空調設備Ａの運転モードは、各居室ｒ１，ｒ２での空調作動状態、即ち、送風機構６，６のＯＮ，ＯＦＦや風量制御手段８の操作等により、蓄熱層１に蓄えられた熱による空調風を空調対象である各居室ｒ１，ｒ２に供給する▲１▼放熱モードと、空調装置２によって蓄熱層１に蓄熱させ、かつ、いずれの居室ｒ１，ｒ２の空調も行わない▲２▼蓄熱モードと、空調装置２からの吐出風を、蓄熱槽１と送風機構６（即ち居室ｒ１，ｒ２）との双方に供給する▲３▼蓄熱空調モードと、蓄熱槽１の熱は使わずに、空調装置２のみで空調させる▲４▼空調モードと、蓄熱層１に蓄えられた熱と、空調装置２による吐出風との双方によって居室ｒ１，ｒ２を空調する▲５▼放熱空調モードとの５種類の運転モードを行うことができる。
【００１７】
次に、各部の構造について概略説明する。
蓄熱槽１及び空調装置２は、１階又は２階の押入れｓに配置されており、蓄熱槽１の送風給排口１ａ，１ｂに面して送風給排空間１０，１１が形成されるとともに、一方の送風給排口１ａが一方の送風給排空間１０を介して主ダクト３の基端側に接続され、かつ、他方の送風給排口１ｂに面する他方の送風給排空間１１には、第１居室ｒ１に面する状態のエア戻り口９が接続されている。
【００１８】
空調装置２は、主ダクト３及び一方の送風給排空間１０に連通するエア吐出口２ａと、他方の送風給排空間１１（戻り路の一例）に連通するエア戻り口２ｂと、出力ファン２ｃとを備えて構成されている。出力ファン２ｃの駆動モーター（図示省略）は、インバーター制御等によって回転速度が可変型のものであり、空調装置２としての単位時間当たりの吐出風量を可変設定自在なものに構成されている。
【００１９】
送風機構６は、各個別ダクト４，５内に配置された送風ファン１２と、ダンパ１３とで構成されている。ダンパ１３は、個別ダクト４，５内の上側端に設けた支点ｘで揺動自在なガイド板で成り、送風ファン１２の駆動による風圧によって上昇揺動して個別ダクト４，５を開き、送風ファン１２の停止によって自重下降して個別ダクト４，５を閉塞する非駆動型に構成されている。
【００２０】
経路切換手段７は、その主要部は、主ダクト３におけるエア吐出口２ａとの接続箇所に構成されており、一部は各送風機構６，６にも構成されている。具体的には、主ダクト３とエア吐出口２ａとの交差部分の上側における角部分に設けた支点Ｐで揺動自在なガイド板１４と、このガイド板１４を駆動揺動及び係止維持自在な駆動モータ１５と、前述のダンパ１３，１３とによって経路切換手段７が構成されている。
【００２１】
経路切換手段７の作用としては、ガイド板１４を垂下させた第１位置ｔ１に操作してエア吐出口２ａを閉塞し、かつ、一方の送風給排空間１０と主ダクト３とは開通する第１状態と、ガイド板１４を、その先端が主ダクト３（一方の送風給排空間１０）の幅方向中間に位置するように傾斜する第２位置ｔ２に操作して、エア吐出口２ａ及び送風路３がいずれも、一方の送風給排空間１０に開通される第２状態とが現出自在である。
【００２２】
そして、ガイド板１４を第２位置ｔ２に維持した状態で、いずれの送風機構６，６も停止させて両ガイド板１３，１３を垂下させる（両個別ダクト４，５が閉塞された）ことにより、主ダクト３を閉塞し、かつ、エア吐出口２ａは一方の送風給排空間１０に開通される第３状態を現出することができる。尚、この実施形態においては使用しないが、ガイド板１４を上昇揺動させて横臥姿勢とすることにより、各送風機構６，６とは無関係に、主ダクト３を閉塞し、かつ、エア吐出口２ａは一方の送風給排空間１０に開通されての第３状態も現出可能である。
【００２３】
図１に示すように、各送風ファン１２の駆動モータ１２ａ，１２ａと、ガイド板１４の駆動モータ１５と、空調装置２と、モード切換スイッチ１６とを制御装置１７に接続して駆動制御回路Ｌを構成してある。風量制御手段８は、種々の制御における一制御形態として、制御装置１７の一部として設けてある。次に、主に風量制御手段８の働きによって現出される蓄熱空調設備Ａの各種運転モードについて説明する。
【００２４】
尚、前提条件として、第１居室ｒ１の送風機構６における定常運転状態での単位時間当たりの送風量をｆ１、第２居室ｒ２の送風機構６における定常運転状態での単位時間当たりの送風量をｆ２、空調装置２における定常運転状態での単位時間当たりの吐出風量をＦとすると、ｆ１＋ｆ２＝Ｆであるものとする。又、空調装置２と各送風ファン１２とは、図面において作動状態では黒塗りされ、停止状態では白抜きに描いてあるものとする。
【００２５】
(1) 放熱モードは、図２に示すように、切換スイッチ１６を第１操作位置▲１▼に切換操作することで得られる。即ち、ガイド板１４が第１位置ｔ１に操作され、空調装置２は停止されている状態において、いずれかの送風機構６が駆動される運転モードである（図２では両方の送風機構６が駆動されている）。この放熱モードにおけるエアの流れは、送風ファン１２の回転による負圧により、エア戻り口９から吸われたエアは、他方の送風給排空間１１、蓄熱槽１を通って一方の送風給排空間１０から主ダクト３、個別ダクト４（５）に進み、送風ファン１２によって送出されたエアは、天井に装備された吹出しガラリ１８（図１参照）を通って、意図する部屋ｒ１（ｒ２）に供給される開放蓄熱経路となる。蓄熱槽１の蓄熱が温熱のときには暖房が行われ、蓄熱が冷熱のときには冷房が行われる。
【００２６】
(2) 蓄熱モードは、図３に示すように、切換スイッチ１６を第２操作位置▲２▼に切換操作することで得られる。即ち、ガイド板１４が第２位置ｔ２に操作され、空調装置２が空調作動し、かつ、全ての送風機構６，６が停止されている運転モードである。この蓄熱モードにおけるエアの流れは、空調装置２の吐出口２ａから吹き出た空調風が、一方の送風給排空間１０、蓄熱槽１、他方の送風給排空間１１をこの順で通ってエア戻り口２ｂから空調装置２に戻る、という閉鎖循環経路に形成される。この蓄熱モードでは、閉鎖循環経路にエア戻り口９が外部に連通しているが、他に外部に連通する箇所が無いことから実質的に空気の出入りは不能の状態になっており、エア戻り口９からのエア流通は生じない。
【００２７】
(3) 蓄熱空調モードは、図４に示すように、切換スイッチ１６を第３操作位置▲３▼に切換操作することで得られる。即ち、ガイド板１４が第２位置ｔ２に操作され、空調装置２が空調作動し、かつ、例えば第１居室ｒ１のみの送風機構６が作動されている運転モードである。この場合は、空調対象Ｒの単位時間当たりの要求風量はｆ１、空調装置２の単位時間当たりの吐出風量はＦであって、ｆ１＜Ｆが成立している状況になっている。
【００２８】
従って、この蓄熱空調モードにおけるエアの流れは、空調装置２の吐出口２ａから出た空調風が、一方の送風給排空間１０、蓄熱槽１、他方の送風給排空間１１、エア戻り口２ｂをこの順に通って空調装置２に戻る閉鎖循環経路と、空調装置２の吐出口２ａから出た空調風が、主ダクト３、個別ダクト４、送風機構６を通って所望の居室（ｒ１等）に送られる開放空調経路との双方が形成される。つまり、蓄熱槽１への蓄熱作動と、空調対象Ｒの空調作動との双方が行われる。
【００２９】
尚、双方の居室ｒ１，ｒ２の送風機構６，６が共に作動している場合には、空調対象Ｒとしての要求風量と空調装置２の吐出風量とが一致（ｆ１＋ｆ２＝Ｆ）するので、空調装置２の出力を増してｆ１＋ｆ２＜Ｆが成立するよう、出力ファン２ｃの回転速度を速める制御が為されるようになる。このように、風量制御手段８は、切換スイッチ１６の操作によっていずれかの運転モードが選択されると、そのときの作動状況如何に拘らずに、選択された運転モードが現出されるように各部を調節制御する機能が備えられている。
【００３０】
(4) 空調モードは、図５に示すように、切換スイッチ１６を第４操作位置▲４▼に切換操作することで得られる。即ち、ガイド板１４が第２位置ｔ２に操作され、例えば、空調装置２が空調作動し、かつ、双方の送風機構６，６が作動する場合の運転モードである。この場合には、前述したようにｆ１＋ｆ２＝Ｆが成立していることから、空調装置２の吐出風は、全て主ダクト３から各居室ｒ１，ｒ２へ供給され、蓄熱槽１へは供給されない。要するに、一般的なエアコンによる空調状態と同じ状態が得られる運転モードである。
【００３１】
但し、前記の状態で一方の第１居室ｒ１の空調が切られ、一方の送風機構６のみの運転状態に切換わると、ｆ２＜Ｆ（又はｆ１＜Ｆ）となって蓄熱空調モードになってしまうので、その場合には出力ファン２ｃの回転速度を落してｆ２＝Ｆ（又はｆ１＝Ｆ）となるように、風量制御手段８が空調装置２を制御後するのである。又、ｆ１＝ｆ２＝Ｆが前提条件である場合には、いずれか一方の居室ｒ１又はｒ２のみが作動しているときには、空調装置２は定常運転され、両居室ｒ１，ｒ２の送風機構６，６が作動されると、ｆ１＋ｆ２＝Ｆが成立するように、風量制御手段８が出力ファン２ｃの回転速度を速めるように制御するのである。
【００３２】
(5) 放熱空調モードは、図６に示すように、切換スイッチ１６を第５操作位置▲５▼に切換操作することで得られる。即ち、ガイド板１４が第２位置ｔ２に操作され、例えば、両送風機構６，６が作動している場合には、風量制御手段８によって出力ファン２ｃの回転速度が定常運転時よりも遅くなるように制御される。
【００３３】
これにより、吐出口２ａから出た空調風が、主ダクト３、個別ダクト４，５、各送風機構６, ６を通って両居室ｒ１、ｒ２に供給される開放空調経路と、エア戻り口９から吸込まれたエアが、他方の送風給排空間１１、蓄熱槽１、一方の送風給排空間１０、主ダクト３、個別ダクト４，５、各送風機構６, ６を通って両居室ｒ１、ｒ２に供給される開放蓄熱経路との双方が形成される。
【００３４】
そして、一方の居室ｒ１又はｒ２のみの送風機構６が作動する場合には、出力ファン２ｃの回転速度を大きく下げ、ｆ１＞Ｆ、又はｆ２＞Ｆが成立するように、風量制御手段８によって制御されるのである。
【００３５】
以上のように、空調装置２が停止する▲１▼放熱モードと、いずれの送風機構６，６も停止する▲２▼蓄熱モードは、そのときにの運転モードが確定されるが、▲３▼蓄熱空調モード、▲４▼空調モード、及び▲５▼放熱空調モードは、送風機構６と空調装置２との風量関係の決定によって初めて確定するものであるが、切換スイッチ１６を有する風量制御手段８の存在により、これら５種類の運転モードのうちの一つを選択すれば、その選択された運転モード状態が維持される便利で使い勝手の良い蓄熱空調設備Ａとしてある。
【００３６】
〔別実施形態〕
《１》  図７に示すように、経路切換手段７を、エア吐出口２ａを遮断する第１位置ｔ１と、エア吐出口２ａも主ダクト３も遮断しない第２位置ｔ２と、主ダクト３を閉塞する第３位置ｔ３との３位置切換え構造のガイド板１９とその駆動モータ２０とを設けて構成しても良い。つまり、ガイド板１４を第１位置ｔ１に操作すれば第１状態が得られ、第２位置ｔ２に操作すれば第２状態が得られ、第３位置ｔ３に操作すれば第３状態が得られるのである。
【００３７】
《２》  図８に示すように、エア吐出口２ａを開閉自在なガイド板１４に代えて、エア戻り口２ｂを閉塞する第４位置ｔ４と、開放する第５位置とに揺動切換自在な揺動板２１と、その駆動モータ２２とから成る２位置切換型のガイド機構を設け、この駆動揺動される揺動板２１と、一対のダンパ１３，１３とで経路切換手段７を構成しても良い。つまり、いずれかのダンパ１３が開き、かつ、揺動板２１を第４位置ｔ４に操作してエア戻り口２ｂを閉塞することで第１状態が現出され、いずれのダンパ１３，１３も閉じられ、かつ、揺動板２１を第５位置ｔ５に操作してエア戻り口２ｂを開放することで第２状態が得られ、いずれかのダンパ１３，１３が開けられ、かつ、揺動板２１を第５位置ｔ５に操作してエア戻り口２ｂを開放することで第３状態が得られるのである。
【００３８】
《３》  空調対象Ｒは、居室ｒが３以上あっても良く、要は、風量制御手段８は、空調装置２の単位時間当たりの吐出風量と、実際に空調対象Ｒに送られる単位時間当たりの送風量との関係を制御するものであれば良い。
【００３９】
【発明の効果】
請求項１に記載の蓄熱空調設備では、空調装置を介して蓄熱槽に関する一対の送風給排空間の開通と閉塞、及び空調対象に空調風を送るための送風路開閉状態を切換える経路切換手段と、経路切換手段が第２状態であるときに、送風ファンの単位時間当たりの送風量と、空調装置の単位時間当たりの吐出風量との大小関係を制御自在な風量制御手段とを設ける工夫により、蓄熱槽の蓄熱によって空調対象を空調する放熱モード、空調装置で蓄熱槽に蓄熱する蓄熱モード、空調装置で蓄熱槽に蓄熱し、かつ、空調対象を空調する蓄熱空調モード、空調装置で空調対象を空調モード、放熱空調モードという多種の運転モードから一つの運転モードが選択可能となる合理的なものとして提供することができた。
【００４０】
請求項２に記載の蓄熱空調設備では、請求項１の構成による前記効果を奏するとともに、送風ファンの単位時間当たりの送風量が、空調装置の単位時間当たりの吐出風量よりも大となる放熱空調制御状態と、送風ファンの単位時間当たりの送風量が、空調装置の単位時間当たりの吐出風量よりも小となる蓄熱空調制御状態と、即ち、放熱空調モードと蓄熱空調モードとを風量制御手段によって選択設定自在となり、実用上で便利なものにできた。
【００４１】
請求項３に記載の蓄熱空調設備では、請求項２の構成による前記効果を奏するとともに、風量制御手段は、風量制御手段の機能により、送風ファンの単位時間当たりの送風量と、空調装置の単位時間当たりの吐出風量とが一致する空調制御状態、即ち、空調モードも実現でき、さらに実用上の便利さが向上する利点が得られた。
【図面の簡単な説明】
【図１】蓄熱空調設備、及びその制御システムを示す概略図
【図２】放熱モード状態を示す蓄熱空調設備の作用図
【図３】蓄熱モード状態を示す蓄熱空調設備の作用図
【図４】蓄熱空調モード状態を示す蓄熱空調設備の作用図
【図５】空調モード状態を示す蓄熱空調設備の作用図
【図６】放熱空調モード状態を示す蓄熱空調設備の作用図
【図７】経路切換手段の別構造を示す概略図
【図８】経路切換手段のその他の別構造を示す概略図
【符号の説明】
１              蓄熱槽
１ａ，１ｂ      送風給排口
２              空調装置
２ａ            エア吐出口
２ｂ            エア吸込み口
３              送風路
７              経路切換手段
８              風量制御手段
１１            戻り路
１２            送風ファン
Ｒ              空調対象
【図１】
0004010354.tif 000002
【図２】
0004010354.tif 000003
【図３】
0004010354.tif 000004
【図４】
0004010354.tif 000005
【図５】
0004010354.tif 000006
【図６】
0004010354.tif 000007
【図７】
0004010354.tif 000008
【図８】
0004010354.tif 000009